(57)【要約】【課題】本発明は消費材産業に関し、特に、異種の物品のための容器および回転支持体に関する。【解決手段】  実施例１による物品の回転装置は、物品と一体的になっているか、物品を固定させるようになっている中央突起部を備えた基部体を含み、中央突起部の高さに対する基部体の半径の比の値は４０から２０００の範囲内である。実施例２による基部体は、中央突起部よりも低い、少なくとも一つの横側突起部を備えている。実施例３の基部体は、物品を固定できる中央突起部を備えている。実施例４では、中央突起部はフランジ状あるいはリング状の支持面を有している。または周囲に配置された複数の部材を有している。実施例５と６の特徴は、中央支持領域と周辺支持領域を形成する表面を備えた基部体である。物品の回転セットは、物品と一体的であるか、固定可能な中央突起部を備えた基部体である少なくとも一つの装置と、対応する基部体のためのフランジ状支持面を備えた複数の支持部材、あるいは、少なくとも二つの基部体のためのフランジ状支持面を備えた一つの支持面とを含む。【選択図】  図１
2013530102.tif 000002
【特許請求の範囲】
【請求項１】
物品の回転装置であって、物品と一体的に製造されているか、物品を固定可能な中央突起部を備えた基部体を含んでおり、該基部体の半径と、前記中央突起部の高さとの比の値は４０から２０００の範囲内であることを特徴とする装置。
【請求項２】
前記基部体は、前記中央突起部よりも低い横側突起部を少なくとも一つ備えていることを特徴とする請求項１記載の装置。
【請求項３】
物品の回転装置であって、物品と一体的に製造されているか、物品を固定可能な中央突起部を備えた基部体を含んでおり、該基部体は、前記中央突起部よりも低い横側突起部を少なくとも一つ備えていることを特徴とする装置。
【請求項４】
前記中央突起部の中心点と前記横側突起部の中心点との間の距離と、これら突起部の高さとの比の値は４０から２０００の範囲内であることを特徴とする請求項３記載の装置。
【請求項５】
前記横側突起体は先端が尖っていることを特徴とする請求項３記載の装置。
【請求項６】
前記横側突起部は直線部あるいは湾曲部を含んでいることを特徴とする請求項３記載の装置。
【請求項７】
前記横側突起部はリング状であることを特徴とする請求項３記載の装置。
【請求項８】
前記中央突起部、及び／又は前記横側突起部は、高さを調整可能であることを特徴とする請求項３から７のいずれかに記載の装置。
【請求項９】
前記突起部はネジ型部材であることを特徴とする請求項８記載の装置。
【請求項１０】
前記突起部は加工が容易な材料により製造されていることを特徴とする請求項３から７及び９のいずれかに記載の装置。
【請求項１１】
前記突起部の少なくとも一つはフランジ状の支持面を備えていることを特徴とする請求項３から７及び９のいずれかに記載の装置。
【請求項１２】
前記基部体は調節式カウンタウェイトを備えていることを特徴とする請求項３から７及び９のいずれかに記載の装置。
【請求項１３】
前記カウンタウェイトはネジ型部材であることを特徴とする請求項１２記載の装置。
【請求項１４】
前記基部体の下面は空気プロペラの羽根の形状に加工されており、及び／又は空気ダクトを形成していることを特徴とする請求項３から７、９、及び１３のいずれかに記載の装置。
【請求項１５】
前記基部体は重い部分を備えており、及び／又は少なくとも一つのウェイトを備えていることを特徴とする請求項３から７、９、および１３のいずれかに記載の装置。
【請求項１６】
前記ウェイトはリング状あるいは別個の塊であることを特徴とする請求項１５記載の装置。
【請求項１７】
前記基部体は空孔部を備えており、移動可能な表示要素が収容されることを特徴とする請求項３から７、９、及び１３のいずれかに記載の装置。
【請求項１８】
物品の回転装置であって、物品を固定可能に形成された中央突起部を備えた基部体を含んでいることを特徴とする装置。
【請求項１９】
物品の回転装置であって、物品と一体的に製造されているか、物品を固定可能な中央突起部を備えた基部体を含んでおり、該中央突起部はフランジ状の支持面を有しているか、リング状であるか、あるいは周辺に配置された複数の部材を形成していることを特徴とする装置。
【請求項２０】
前記基部体の下面の面積と、前記中央突起部の前記フランジ形態の支持面の面積との比の値、あるいは前記中央突起部を形成する部材によって閉じられた領域の面積との比の値は１６から４００の範囲内であることを特徴とする請求項１９記載の装置。
【請求項２１】
物品の回転装置であって、物品と一体的に製造されているか、物品を固定可能になっており、さらに、周辺支持領域の高さよりも高い最大高の中央突起部を含んだ形状が加工された下面を備えている基部体を含んでいることを特徴とする装置。
【請求項２２】
前記下面は凸形状であり、該下面の中央突起支持領域の最大高よりも低い、少なくとも一つの周辺突起支持領域を形成していることを特徴とする請求項２１記載の装置。
【請求項２３】
前記下面は前記基部体の垂直中央回転軸を横断する波形面状であることを特徴とする請求項２１記載の装置。
【請求項２４】
前記下面は錐体状であることを特徴とする請求項２１記載の装置。
【請求項２５】
物品の回転装置であって、物品と一体的に製造されているか、物品を固定可能になっており、さらに、中央突起支持領域と、少なくとも一つの周辺突起部とを形成しているか、少なくとも一つの周辺支持領域と、中央突起部とを形成している下面を備えた基部体を含んでおり、前記中央突起支持領域は前記周辺突起部よりも広く、前記中央突起部は前記周辺支持領域よりも高いことを特徴とする装置。
【請求項２６】
物品の回転セットであって、物品と一体的に製造されているか、物品を固定可能な基部体である少なくとも一つの装置を含んでおり、さらに、対応する基部体のためのフランジ状の支持面を備えた複数の支持部材か、少なくとも二つの基部体のためのフランジ状の支持面を備えた一つの支持部材を含んでいることを特徴とする回転セット。
【請求項２７】
前記基部体を支持するための平坦面を備えたパッキングを含んだ装備物を含んでいることを特徴とする請求項２６記載の回転セット。
【請求項２８】
前記平坦面はカバーであることを特徴とする請求項２７記載の回転セット。
【発明の詳細な説明】
【技術分野】
【０００１】
本発明は異なる物品の回転支持体あるいは回転装置に関する。
【背景技術】
【０００２】
全体として物品を備えた状態で提供されている中央突起部を備えた基部体を含んだ液体容器を回転させる装置は知られている（２００６年４月２７日のＲＦ特許５２６８５参照）。
【０００３】
知られている装置の弱点は、許容範囲内の回転で基部体を回転させることができないことである。そのような機能は、液体を入れたグラスを使用する際に特に重要である。加えて、基部体の直径と形状によって定まる回転抵抗の度合いが回転具合には重要な要素である。
【先行技術文献】
【特許文献】
【０００４】
【特許文献１】フランス特許第５２６８５号
【発明の概要】
【発明が解決しようとする課題】
【０００５】
本発明の技術目的は、物品を回転させる装置に複数の形態を提供することであり、本発明の装置は、基部体の部材の形状的均衡の崩れによる揺籃（swaying）を排除して回転継続時間を延長させることである。
【課題を解決するための手段】
【０００６】
この装置の一実施形態では、上述の技術目的は、中央突起部の高さに対する基部体の半径の比の値を４０から２０００の範囲とすることによって達成される。この場合、基部体には、中央突起部の高さよりも低い少なくとも一つの横側突起部が提供される。
【０００７】
この横側突起部はベアリング形態にて提供でき、基部体を包囲する制限要素の筒状面と相互作用する可能性を有した基部体の下面に位置する。
【０００８】
この装置の第二実施形態では、全体的に物品と共に製造される中央突起部を備えた基部体が提供される。あるいは、そこに物品を固定する機能を備えた基部体が提供される。この場合、基部体は、中央突起部のよりも低い横側突起部を少なくとも一つ備えている。横側突起部の可能な位置は上記した。
【０００９】
これら中央突起部の中心と横側突起部の中心との間の距離と、それらの高さの差との比の値は４０から２０００の範囲内であるべきである。
【００１０】
これら横側突起部は尖っていても、丸形でも、直線状でも、リング状でもよい。
【００１１】
中央突起部及び／又は横側突起部の高さは調節することができる。例えば、加工が容易な素材から製造できるフランジ形態の支持面を備えたネジ型部材とすることができる。
【００１２】
場合によっては、基部体はネジ型部材のごとき調節式カウンタウェイトを備えることができる。
【００１３】
空気膜を創出するため、基部体の下面はプロペラの羽根に似た形状とすることができ、及び／又はそこに空気ダクトを形成することができる。
【００１４】
レスポンス動作を遅くするため、基部体は固形物体を有して製造でき、及び／又は、例えばリング形状または別物体として少なくとも一つのウェイトを備えることができる。
【００１５】
娯楽要素を加えるため、基部体は移動性を備えた表示要素が収容できる窪部を有することができる。
【００１６】
この装置の第三実施形態では、技術目的は物品をその場に固定することができる中央突起部を備えた基部体により達成される。このような基部体の構造はレスポンス動作を遅くし、利用汎用性を高める。
【００１７】
この装置の第四実施形態では、全体的に物品と共に製造されている中央突起部を備えているか、物品をその場に固定する機能を備えた基部体が提供される。本発明の目的は、リング形状である中央突起部を有することにより、あるいはフランジ形状の支持面を有することにより、あるいは周辺に配置された別々の部材を有することによって達成される。基部体のこのような構造は、粗くて比較的に軟質である表面における基部体の使用に適している。また、横側支持点を利用せずに安定した直立姿勢を可能にする。ここで、基部体の下面領域と、突起部のフランジ形状である支持領域、あるいは突起部を形成する部材で包囲される領域の比の値は１６から４００の範囲である。
【００１８】
この装置の第五実施形態では、本発明の技術目的は、全体的に物品と共に製造されている中央突起部を備えているか、あるいはそこの物品を固定できる機能を備えており、突起する中央支持領域の最大高さが周辺の支持領域よりも高く形状化された下面を備えた基部体によって達成される。
【００１９】
この下面は少なくとも一つの突起する周辺支持領域を備えているか、あるいは下面の中央支持領域よりも低い横側突起体を備えているか、あるいは基部体の垂直中央軸を横断する波形平面を備えた凸体あるいは錐体の形状である。
【００２０】
本発明の第六実施形態では、技術目的は、全体的に物品と共に製造されている中央突起部を備えているか、あるいは物品をその場に固定する機能を備えており、突起する中央支持領域を形成するように形状化された下面を備えており、少なくとも一つの周辺突起部を備えた基部体を含んでいる物体回転装置によって達成される。あるいは少なくとも一つの周辺支持領域と中央突起部を形成し、突起する中央支持領域の高さが、周辺突起部よりも高く、中央突起部の高さが周辺支持領域よりも高い基部体を含んでいる物体回転装置によって達成される。
【００２１】
これら技術目的の達成を確実にするため、物品の回転セットが使用される。このセットには、全体的に物品と共に製造されている中央突起部を備えており、あるいは物品をその場に固定できる機能を備えている基部体が含まれる。基部体にフランジ状の支持面を有した少なくとも一つの支持部材、あるいは少なくとも二つの基部体のためにフランジ状の支持面を有した一つの支持部材がさらに含まれる。
【００２２】
この物品回転セットは、例えば、カバーに製造されている、基部体を支持する平面を備えたパッキングを装備することができる。
【００２３】
本発明の特徴を添付の図面を使用して説明する。
【図面の簡単な説明】
【００２４】
【図１】第一実施例による基部体の概略図である。
【図２】第二実施例による物品回転用の基部体の概略図である。
【図３】横側突起部の規則的配置を示す。
【図４】他の実施例による突起部の配置例を示す。
【図５】一つのリング状突起部を備えた基部体と、周辺に複数の湾曲突起部を備えた基部体とを示す。
【図６】湾曲形状化されている突起部を備えた基部体を示す。
【図７】フランジ形態の突起部を示す。
【図８】基部体の下面の可能な形状例を示す。
【図９】突起部の可能な形状例を示す。
【図１０】調整式の突起部を示す。
【図１１】カウンタウェイト部材を備えた基部体を示す。
【図１２】羽根形状の下面を備えた基部体を示す。
【図１３】空気取入口を備えた基部体を示す。
【図１４】追加のウェイト部を備えた基部体を示す。
【図１５】別例による追加のウェイト部を備えた基部体を示す。
【図１６】支持領域を備えた中央突起部を示す。
【図１７】リング状の中央突起部を示す。
【図１８】別々の部材で提供されているリング状の中央突起部を示す。
【図１９】凸状下面を備えた回転装置の基部体を示す。
【図２０】波形下面を備えた回転装置の基部体を示す。
【図２１】円錐形状面を備えた回転装置の基部体を示す。
【図２２】中央支持領域と周辺の突起部とを備えた回転装置の基部体を示す。
【図２３】周辺の支持領域と中央突起部とを備えた回転装置の基部体を示す。
【発明を実施するための形態】
【００２５】
本発明の物品回転装置は、下面２を備えた基部体１を含む。下面２の形状とサイズは、垂直軸５の周囲の水平面３における物品４の回転にとって重要な要素である。基部体は独立した物体であっても、物品４との一体型物体であってもよい。例えば、基部体はグラス底部でも、支持物体の支持部材であってもよい。基部体が独立した物体であるなら、物品４の基部体への固定方法は、さほど重要ではない。物品４は任意の方法によって基部体１に固定できる。
【００２６】
基部体の支持点６は中央突起部７に位置しており、第２実施例においては、基部体は横側突起部９にて横側支持点８も有する。
【００２７】
突起部７の下部に存在する中央支持点の形状は、突起部の形状によって左右され、半球状、円錐状、四角錐状、棒状、針状、等々である。中央支持点６は基部体の均衡中心点（重心）１０を通過する垂直軸５（回転軸）に位置する。
【００２８】
横側支持点８（横側突起部９）は中央支持点６から“ａ”の距離に位置する。距離“ａ”は基部体１の寸法により決定され、基部体１の下面２の直径よりも短くてよい。
【００２９】
図１で示す第一実施例では、回転装置の特徴は、基部体の半径（Ｒ）と中央突起部の高さ（Ｈ）との比の値が４０から２０００の範囲に存在することである。この特徴により、基部体は中央突起部よりも低い高さの少なくとも一つの横側突起部を備えて製造が可能である。この比は、異なる仕上がり方の支持面３を使用した実験により、実験的および理論的に求められたものである。
【００３０】
第二実施例では、回転装置の構造の特徴は、特別に開発された形状の基部体１の下面２に存在する。横側支持点（横側突起部）の数は三以上でよい。横側支持点は下面に規則的に配置できる。例えば、横側支持点は、中心が中央支持点に存在する正多角形の頂点に位置することができる。あるいは、不規則または装飾的に配置することもできる。
【００３１】
基部体と一体的に設けられたリング状の横側突起部、あるいは基部体にネジ固定されたリング状の横側突起部を利用することもできる。あるいは閉形態に形状化された横側突起部が利用できる。横側突起部は、周辺に配置された湾曲脚形状に、あるいは装飾を意識した形状に製造できる。
【００３２】
横側支持点と表面３との間の摩擦を抑えて基部体の回転を最良化させるため、円の中心を中央支持点に存在させ、実線または点線で示される周辺に沿った横側支持点の配置が望ましい。
【００３３】
中央突起部と横側突起部とは、三角形状、半円形状、等々、相互に異なる形状であってもよい。
【００３４】
このような場合、表面３との接触は、支持点と表面３との間の摩擦を減少させるべく分離した点において行われる。また、突起部の先端に小さな平坦領域１１を提供することができる。この平坦領域は回転時における表面３と突起部との摩擦による磨耗を低減させ、粗くて軟質である表面３との回転抵抗を減少させる。
【００３５】
中央支持点６の役割は、基部体１を回転軸５の周囲でスムーズに回転させつことである。横側支持点の役割は、基部体に対して必要な垂直方向の安定性を提供し、横転を回避させることである。理想的な実施形態においては、基部体１が水平面３に存在すれば、基部体は中央支持点６のみでこの表面上に支持される。この場合には、基部体は回転軸５の周囲で最大限に効果的に回転できる（最長回転時間）。しかしながら、均衡の中心点１０は支持点６よりも高く位置しているため、一つの中央支持点で支持される基部体は不安定である。よって、基部体は、中央支持点６に加えて水平面で支持されるように、あるいは追加的に横側支持点８で支持されるように、または基部体の端部で支持されるように、いずれかの側に傾斜することにより安定状態になろうとする。
【００３６】
基部体が全体的に均衡し、回転軸５の周囲を表面３で回転すると、基部体は、中央支持点と横側支持点を連続的に利用して、水平面により支持される姿勢となる。
【００３７】
サイズ（ｈ）（図２）は基部体の構造にとって重要である。サイズ（ｈ）は、横側支持点との位置関係で中央支持点を含む中央突起部７を規定する。この中央突起部によって、基部体は水平面３にて垂直軸５の周囲で回転できる。ｈ＝０の場合には、中央支持点と横側支持点とは同一平面上に存在する。この場合には基部体の回転は不可能である。もしこの“ｈ”の値が大きすぎると、基部体は大きく揺籃する（垂直軸５から傾斜する）。基部体のこのような揺籃は回転継続時間を大きく短縮させる。基部体の揺籃は回転装置の外見の魅力を大きく損ねる。最良の“ｈ”はｈ＝０．０５〜０．１５ｍｍである。この“ｈ”の範囲は、サイズ“ａ”（図２）が２０から１００ｍｍの範囲内であるときに推奨されるであろう。この場合には、無視できるような表面祖度（粗さ）を有した水平平坦面での基部体の使用が想定される。このような表面は、テーブル面、窓枠、家具、等々の製造のための一般的な表面全てを含むであろう。異なる硬質プラスチック、木材、人工石および天然石、等々が、このような表面の材料となり得る。ｈ＝０．０２〜０．０５ｍｍの範囲は、サイズａ＝５〜５ｍｍの範囲の場合に最良であろう。また、基部体がガラス、磨石、等々である非常に滑らかな表面に使用される場合にも最良であろう。ｈ＝０．１〜１ｍｍの範囲が、ａ＝１００〜５００ｍｍの範囲の回転装置に対して推奨される。また、基部体が、非常に粗いか、大きな湾曲した（高さ相違）表面で使用される場合も同様にも推奨される。対応して大きな値の“ａ”であれば、さらに大きな値の“ｈ”の基部体が可能である。また、湾曲面でのその使用も同様に可能である。
【００３８】
基部体の構造のために“ｈ１”（図２）の値も重要である。サイズ（ｈ１）は横側突起部９の高さと、基部体の下面２と水平面３との間の距離を規定する。横側突起部９は以下の理由により必要である。横側突起部が存在しないと（ｈ１＝０）、基部体の下面２は平面となる（図２）。基部体の下面が平坦である場合には“ｈ”の推奨値が小さすぎるため、その大きな部分は表面３と接触する。例えば、接触面のこの部分を領域（Ｘ）（図１）とする。領域（Ｘ）で基部体を回転させると、基部体１の下面２と表面３との間に大きな摩擦が発生する。さらに、異種の異物である微粒体（埃、細砂、食品屑、等々）が表面３に存在するかも知れず、それらは基部体の回転の大きな抵抗因子となるかも知れない。これら基部体の回転に抵抗する要因を排除するため、ｈ１＝ｈを超える条件の適用が推奨される。さらに、本発明の第一実施例と第二実施例の上述パラメータの比の適用が推奨される。基部体を製造するとき、美的考慮（美的感覚）に基づいて、あるいは技術的必要性に基づいて、“ｈ１”の最大値が規定されなければならない。また、“ｈ１”の最大値は、このような形状の下面が基部体の回転を向上させる場合には、さらに複雑な形状の下面２に基づいて規定される。
【００３９】
美的考察に基づいて、基部体にさらに複雑な形状を付与することができる。中央突起部７、横側突起部９および下面２は異なる形状とすることができる（図８）。
【００４０】
中央突起部７と横側突起部９は、柱状、球状、脚状、梁状、等々とすることができる。下面２は弓形、アーチ形および他の複雑な形状とすることができる（図９）。
【００４１】
中央突起部７と横側突起部９の高さは調節式とすることができる。この場合、“ｈ”の値は必要とされる値に調節できる（例えば、基部体１の回転面３の粗度程度により決定）。この目的で中央突起部７と横側突起部９は、ネジ型棒体１２として基部体とは別々に製造でき、ネジ式接続によって基部体と接続させることができる（図１０）
【００４２】
均衡の中心（重心）１０（図２）が回転軸５に存在すること、または可能な限り回転軸５に接近していることが非常に重要である。このような場合、横側支持点８によって最小の圧力が水平面３にかけられる。そのため、水平面での基部体の回転中の横側支持点８と水平面３との摩擦は最小になる。
【００４３】
しかし、基部体と物品４の組み合わせた形状が複雑となり、回転軸５に対する中央支持点６の正確な位置の計算が複雑となれば、回転軸５と均衡の中心１０とが一致しない可能性も生じる。
【００４４】
均衡の中心１０と回転軸５とを可能な限り接近させるため、基部体の構造には調節式のカウンタウェイト（バランサ）を備えさせることができ、基部体の均衡の中心の移動はカウンタウェイトを調節することで可能になる。これらカウンタウェイトはネジ部材１３（図１１）として製造できる。
【００４５】
基部体の下面は扇風機の羽根またはタービンの羽根のような形状で製造できる（図１２）。
【００４６】
基部体の回転時に、このような羽根はいくらかの上昇力を発生し、基部体の回転表面に対する横側支持点の圧力を減少させる。この構成により、横側支持点と表面３との間の摩擦は減少し、基部体の回転継続時間は増加する。
【００４７】
基部体の下面に空気取入口としての溝を設けることができる（好適には羽根と組み合わせた状態）（図１３）。基部体の回転時に、これらの溝（空気取入口）は、横側支持点の方向に向けられた幾分かの空気流（ジェット流）を発生させる。この空気流によって横側支持点と基部体の回転表面との間にはエアクッション効果が提供される。これで、横側支持点と基部体の回転表面との間の摩擦は減少し、基部体の回転継続時間は増加する。
【００４８】
基部体の回転継続時間を増加させるため、慣性力（フライホイールの原理）が増強される。この増強は、基部体に高密度材料を使用することで達成される。この増強は、基部体の重量の大部分を、その横側周辺部（周囲）に均等に配分させる形状の設計によって達成されることも可能である（図１４）。
【００４９】
もし基部体が低密度材料で製造されたなら、その慣性力は横側周辺（周囲）（図１５）に沿って追加されたカウンタウェイトの均等な配分によって増加させることができる。そのようなカウンタウェイトは、高密度材料で成る複数の部材１４、または連続リング体１５としても提供できる。
【００５０】
中央突起部はフランジ式支持面（領域）１６（図１６）を有するか、リング形態１７（図１７）とすることができ、あるいは、周囲に配置された複数の部材（図１８）とすることもできる。このような場合には、基部体の下面と中央突起部のフランジ式支持面の面積あるいは突起部の部材によって区切られる面積との比の値は１６から４００の範囲である。
【００５１】
この設計によって基部体が水平面で姿勢を均衡にすると、基部体は領域１６によって支持されるのみであり、すなわち回転軸５の周囲で回転し、領域１６によってのみ支持される。これにより、横側支持点８を利用せずとも基部体の垂直安定姿勢が得られる。よって、基部体の回転に横側支持点８と表面３との間の摩擦作用が介在しなくなる。
【００５２】
基部体のこの実施例では、領域１５内、またはリング１７内、あるいは部材１８で成るリング内に位置する垂直回転軸５に存在する均衡の中心１０が非常に重要である。
【００５３】
本発明の第二実施例による基部体の追加的改良は、全てその変形態様に関係する。
【００５４】
発明装置の利用形態
上述のように、この装置は、物品４と一体的、あるいは物品４を固定する形態で物品４とは別体として物品４と組み合わせて利用される。
【００５５】
基部体と物品とが一体化されている装置の実施形態においては、基部体と一体化した装置は次の方法で製造される：
（１）成形工程（材料：プラスチック、ポリマー、ガラス、クリスタル、セラミック、金属）；
（２）成形プレス工程（プレス成形）（材料：プラスチック、ポリマー、ガラス、金属）；
（３）加工工程（材料：プラスチック、ポリマー、ガラス、クリスタル、セラミック、金属、人工石および天然石、木材）。
【００５６】
利用の汎用性は、基部体を別々に製造する実施例の特殊な形態である。しかし、この場合、装置に物品を固定する何らかの機構の必要性によって追加の複雑性が出現する。
【００５７】
中央支持点６を含んだ中央突起部の支持領域１９または中央突起部２０を備えた形状加工された表面と、その形状加工された表面によって形成されている横側突起部９あるいは周辺支持領域（部分）２１に提供された横側支持点８とを備えた基部体１は、第五実施例および第六実施例の特殊な形態を有する。
【００５８】
中央支持点６の形状は球状または円錐状でよい。中央支持点６は基部体の均衡の中心１０を通過する垂直回転軸５に存在する。
【００５９】
横側支持点８（横側突起部９または周辺支持領域（部分）２１）は中央支持点６から距離“ａ”の位置に存在する。距離“ａ”は基部体１の寸法で規制され、基部体１の下面２の直径よりも短くてよい。
【００６０】
上記パラメータ“ｈ”と“ｈ１”は、周辺支持領域２１と中央突起部の支持領域１９とに適用できる（図１９〜図２３）。
【００６１】
実施例とは関係なく、基部体の物品には多数の異種形態物品が含まれる。物品は、以下のごとき中空容器あるいは中空箱でよい：
小型品目を収容する容器（例：小物入れ、筆入れプラスチックカップ、嵩張物入れ、灰皿、プレート、等々）；
液体容器（例：グラス）、花瓶、シェーカ、化学器具、等々）。
【００６２】
あるいは、物品は、以下のごとき一体的な物品（monolithic item）でよい：
インテリアデコレーション（例：彫像、蝋燭立て、燭台、等々）；
褒章用装飾物（例：ペナント、ゴブレット、オベリスク、等々）。
【００６３】
あるいは、物品は、以下のごとき複雑な構造物でよい：
屋外広告用器具（例：表示装置、店舗または展示会にける宣伝商品の実演用支持台）。
【００６４】
本発明装置は遊戯用であってもよい。この場合には、基部体は中空であり、その中空部内にボール等の移動可能な表示物が配置される。基部体を回転させると内部の表示物が独立的に移動し、基部体が停止されると、表示物が勝者または敗者を示す。
【００６５】
オイルクロス（油布、カバー）で覆われたテーブル等の支持面は、必ずしも全てが必要とされる程度の回転を提供しない。どのような支持面においても確実に基部体を回転させるため、物品と一体的に製造されている中央突起部を備えた基部体あるいは物品を固定することができる少なくとも一つの基部体と、対応する基部体のフランジ式支持面を備えた別体の支持部材、あるいは少なくとも二つの基部体のフランジ式支持面を備えた支持部材を含んだ物品回転セットが使用できる。
【００６６】
よって、このセットは、いくつかの基部体と、相当数のフランジ式支持面を備えた支持部材とを含むか、あるいは、例えばトレーである一つの汎用支持部材とを備えている。
【００６７】
支持部材として、本発明装置を包む容器カバーが利用できる。
【図１】
2013530102.tif 000003
【図２】
2013530102.tif 000004
【図３】
2013530102.tif 000005
【図４】
2013530102.tif 000006
【図５】
2013530102.tif 000007
【図６】
2013530102.tif 000008
【図７】
2013530102.tif 000009
【図８】
2013530102.tif 000010
【図９】
2013530102.tif 000011
【図１０】
2013530102.tif 000012
【図１１】
2013530102.tif 000013
【図１２】
2013530102.tif 000014
【図１３】
2013530102.tif 000015
【図１４】
2013530102.tif 000016
【図１５】
2013530102.tif 000017
【図１６】
2013530102.tif 000018
【図１７】
2013530102.tif 000019
【図１８】
2013530102.tif 000020
【図１９】
2013530102.tif 000021
【図２０】
2013530102.tif 000022
【図２１】
2013530102.tif 000023
【図２２】
2013530102.tif 000024
【図２３】
2013530102.tif 000025
【国際調査報告】
2013530102.tif 000026
2013530102.tif 000027
2013530102.tif 000028
2013530102.tif 000029
2013530102.tif 000030
2013530102.tif 000031